(57)【要約】      （修正有）【課題】状況に応じた適切な警報音声を出力すること等のできる、防災受信機を提供する。【解決手段】防災受信機１００は、防災端末２００の発報を検知して所定の防災処理を行うものであって、複数の警報音の音源となるメッセージメモリ１４１と、所定の警報タイミングが到来した際、メッセージメモリ１４１による複数の警報音のうち、当該警報タイミングからの経過時間に応じて異なる警報音を、主音響部１５０を介して出力する警報制御部１９１とを備える。【選択図】図１
2011123918.tif 000002
【特許請求の範囲】
【請求項１】
防災端末の発報を検知して所定の防災処理を行う防災受信機において、
複数の警報音の音源となる音源手段と、
所定の警報タイミングが到来した際、前記音源手段による複数の警報音のうち、当該警報タイミングからの経過時間に応じて異なる警報音を、所定の出力手段を介して出力する警報制御手段とを備える、
防災受信機。
【請求項２】
任意の警報音を入力する入力手段を備え、
前記音源手段は、前記入力手段にて入力された警報音を記憶可能な記憶手段を備える、
請求項１に記載の防災受信機。
【請求項３】
前記警報制御手段は、
前記記憶手段に前記任意の警報音が記憶されているか否かを判断し、
前記記憶手段に前記任意の警報音が記憶されていると判断した場合には、当該記憶手段に記憶された当該任意の警報音を出力させ、又は当該任意の警報音と前記音源手段による前記警報音とを交互に出力させ、
前記記憶手段に前記任意の警報音が記憶されていないと判断した場合には、前記音源手段による前記警報音を出力させ、又は当該音源手段による前記複数の警報音を交互に出力させる、
請求項２に記載の防災受信機。
【請求項４】
前記音源手段は、
所定の音響を出力する音響手段と、
所定の合成音声を記憶する音声合成手段とを備え、
前記警報制御手段は、
前記記憶手段に前記任意の警報音が記憶されていると判断した場合には、当該記憶手段に記憶された当該任意の警報音を出力させ、又は当該任意の警報音と前記音響手段による前記音響とを交互に出力させ、
前記記憶手段に前記任意の警報音が記憶されていないと判断した場合には、前記音声合成手段に記憶された前記合成音声を出力させ、又は当該合成音声と前記音響手段による前記音響とを交互に出力させる、
請求項３に記載の防災受信機。
【請求項５】
前記警報制御手段は、
前記警報タイミングからの経過時間が所定時間に達しているか否かを判断し、
前記記憶手段に前記任意の警報音が記憶されていると判断した場合であって、前記警報タイミングからの経過時間が所定時間に達していないと判断した場合には、前記記憶手段に記憶された前記任意の警報音を出力させ、又は当該任意の警報音と前記音響手段による前記音響とを交互に出力させ、
前記警報タイミングからの経過時間が所定時間に達していると判断した場合には、前記音声合成手段に記憶された前記合成音声を出力させ、又は当該合成音声と前記音響手段による前記音響とを交互に出力させる、
請求項４に記載の防災受信機。
【請求項６】
前記警報制御手段は、
前記防災端末が属する監視区域毎に異なる前記任意の警報音が前記記憶手段に記憶されている場合であって、当該記憶手段に当該任意の警報音が記憶されていると判断した場合には、発報した防災端末が属する監視区域に応じた前記任意の警報音を当該記憶手段から出力させ、
前記防災端末の発報を当該防災受信機に伝送する監視回線毎に異なる前記任意の警報音が前記記憶手段に記憶されている場合であって、当該記憶手段に当該任意の警報音が記憶されていると判断した場合には、発報した防災端末に接続されている監視回線に応じた前記任意の警報音を当該記憶手段から出力させ、
又は、前記防災端末毎に異なる前記任意の警報音が前記記憶手段に記憶されている場合であって、当該記憶手段に当該任意の警報音が記憶されていると判断した場合には、発報した防災端末に応じた前記任意の警報音を当該記憶手段から出力させる、
請求項３から５のいずれか一項に記載の防災受信機。
【発明の詳細な説明】
【技術分野】
【０００１】
本発明は、火災感知器やガス漏れ検知器等からの信号を受信して移報等を行うための防災受信機に関し、特に、所定の警報タイミングが到来した際に警報音を出力する、防災受信機に関する。
【背景技術】
【０００２】
オフィスビルや工場等において、火災発生やガス漏れの有無を検出して警報を発する防災システムが広く利用されている。このような防災システムは、火災感知器やガス漏れ検知器等の防災端末と、この防災端末からの信号を受信して火災発生の警報出力や移報出力等を行う防災受信機とを備えて構成されている。
【０００３】
このような防災システムにおいては、一般的に、防災端末によって火災発生やガス漏れが検出された場合、警報音を出力することにより、管理者等に出火確認や避難等を呼びかけていた。この警報音としては、電子的な主音響と、合成音声とを出力していた。例え
ば、主音響としては、規格で定められている８５ｄＢ以上の音量でブザー音やサイレン音を鳴動していた。また、合成音声としては、「火災発生、現場を確認して下さい。」の如き１パターンの定型内容の合成音声データを記憶部に記憶させておき、この合成音声データを呼び出して繰り返し出力していた。
【発明の概要】
【発明が解決しようとする課題】
【０００４】
ここで、このような従来の防災受信機においては、警報時に出力していた合成音声の内容に関して、種々の問題があった。例えば、従来の防災受信機においては、防災受信機の製造時に記憶部に記憶させた定型内容の合成音声データのみを用いて音声出力を行っていたので、防災受信機が設置される環境や、警報を出力させる際の状況によっては、合成音声の内容が必ずしも最適とは言えない場合があった。
【０００５】
また、記憶部に記憶させた１パターンの合成音声データを繰り返し出力していたので、例えば、火災発生の初期段階と、火災発生からかなりの時間が経過しているような段階のように、管理者等が対処すべき内容が異なるような場合においても同一のメッセージのみが出力されてしまい、合成音声の有用性に欠ける場合があるという問題があった。
【０００６】
本発明は上記問題に鑑みてなされたもので、状況に応じた適切な警報音声を出力すること等のできる、防災受信機を提供することを目的としている。
【課題を解決するための手段】
【０００７】
上述した課題を解決し、目的を達成するために、請求項１に記載の防災受信機は、防災端末の発報を検知して所定の防災処理を行う防災受信機において、複数の警報音の音源となる音源手段と、所定の警報タイミングが到来した際、前記音源手段による複数の警報音のうち、当該警報タイミングからの経過時間に応じて異なる警報音を、所定の出力手段を介して出力する警報制御手段とを備える。
【０００８】
また、請求項２に記載の防災受信機は、請求項１に記載の防災受信機において、任意の警報音を入力する入力手段を備え、前記音源手段は、前記入力手段にて入力された警報音を記憶可能な記憶手段を備える。
【０００９】
また、請求項３に記載の防災受信機は、請求項２に記載の防災受信機において、前記警報制御手段は、前記記憶手段に前記任意の警報音が記憶されているか否かを判断し、前記記憶手段に前記任意の警報音が記憶されていると判断した場合には、当該記憶手段に記憶された当該任意の警報音を出力させ、又は当該任意の警報音と前記音源手段による前記警報音とを交互に出力させ、前記記憶手段に前記任意の警報音が記憶されていないと判断した場合には、前記音源手段による前記警報音を出力させ、又は当該音源手段による前記複数の警報音を交互に出力させる。
【００１０】
また、請求項４に記載の防災受信機は、請求項３に記載の防災受信機において、前記音源手段は、所定の音響を出力する音響手段と、所定の合成音声を記憶する音声合成手段とを備え、前記警報制御手段は、前記記憶手段に前記任意の警報音が記憶されていると判断した場合には、当該記憶手段に記憶された当該任意の警報音を出力させ、又は当該任意の警報音と前記音響手段による前記音響とを交互に出力させ、前記記憶手段に前記任意の警報音が記憶されていないと判断した場合には、前記音声合成手段に記憶された前記合成音声を出力させ、又は当該合成音声と前記音響手段による前記音響とを交互に出力させる。
【００１１】
また、請求項５に記載の防災受信機は、請求項４に記載の防災受信機において、前記警報制御手段は、前記警報タイミングからの経過時間が所定時間に達しているか否かを判断し、前記記憶手段に前記任意の警報音が記憶されていると判断した場合であって、前記警報タイミングからの経過時間が所定時間に達していないと判断した場合には、前記記憶手段に記憶された前記任意の警報音を出力させ、又は当該任意の警報音と前記音響手段による前記音響とを交互に出力させ、前記警報タイミングからの経過時間が所定時間に達していると判断した場合には、前記音声合成手段に記憶された前記合成音声を出力させ、又は当該合成音声と前記音響手段による前記音響とを交互に出力させる。
【００１２】
また、請求項６に記載の防災受信機は、請求項３から５のいずれか一項に記載の防災受信機において、前記警報制御手段は、前記防災端末が属する監視区域毎に異なる前記任意の警報音が前記記憶手段に記憶されている場合であって、当該記憶手段に当該任意の警報音が記憶されていると判断した場合には、発報した防災端末が属する監視区域に応じた前記任意の警報音を当該記憶手段から出力させ、前記防災端末の発報を当該防災受信機に伝送する監視回線毎に異なる前記任意の警報音が前記記憶手段に記憶されている場合であって、当該記憶手段に当該任意の警報音が記憶されていると判断した場合には、発報した防災端末に接続されている監視回線に応じた前記任意の警報音を当該記憶手段から出力させ、又は、前記防災端末毎に異なる前記任意の警報音が前記記憶手段に記憶されている場合であって、当該記憶手段に当該任意の警報音が記憶されていると判断した場合には、発報した防災端末に応じた前記任意の警報音を当該記憶手段から出力させる。
【発明の効果】
【００１３】
請求項１に記載の防災受信機によれば、火災等が発生してからの経過時間に応じた内容の警報音を出力させることができるので、状況に適した警報音を時間経過に応じて自動的に出力させることができ、防災行動のガイド等を一層的確に行うことができて、防災受信機の信頼性を一層向上させることができる。
【００１４】
また、請求項２に記載の防災受信機によれば、これは音源手段の一形態を一層具体的に特定するものであり、入力手段にて入力された警報音を記憶する記憶手段が音源になるので、防災受信機が設置される環境や警報出力時の状況に応じた内容の警報音を出力させることができ、一層適切な警報を行うことができる。
【図面の簡単な説明】
【００１５】
【図１】本発明の実施の形態１に係る防災受信機の要部構成を示すブロック図である。
【図２】図１の防災受信機の主音響部等のブロック図である。
【図３】図１の防災受信機の正面図である。
【図４】警報出力処理のフローチャートである。
【図５】本発明の実施の形態１に係る警報音の一例を示すタイミングチャートである。
【図６】本発明の実施の形態１に係る警報音の他の例を示すタイミングチャートである。
【図７】本発明の実施の形態１に係る警報音の他の例を示すタイミングチャートである。
【図８】本発明の実施の形態２に係る警報出力処理のフローチャートである。
【図９】本発明の実施の形態２に係る警報音の一例を示すタイミングチャートである。
【図１０】図９の警報音に続いて出力される警報音の一例を示すタイミングチャートである。
【図１１】図１０の警報音に続いて出力される警報音の一例を示すタイミングチャートである。
【発明を実施するための形態】
【００１６】
以下に、本発明に係る防災受信機の実施の形態を図面に基づいて詳細に説明する。なお、この実施の形態によりこの発明が限定されるものではない。特に、以下の実施の形態においては、本発明をＲ型の防災受信機に適用した例を示すが、回線毎に信号線が引き出され、この回線に接続された防災端末の接点の開閉に基づいて発報を受けるＰ型の防災受信機に対しても、本発明を同様に適用することができる。
【００１７】
〔実施の形態１〕
最初に、本発明の実施の形態１について説明する。
まず、本実施の形態に係る防災受信機の特徴について概説し、その後、防災受信機の構成と処理について説明する。図１は本実施の形態に係る防災受信機の要部構成を示すブロック図である。
この図１において、防災受信機１００は、各警戒地区に配置された防災端末２００からの信号を受信して火災発生の警報出力や所定の外部監視盤への移報出力等を行う防災
受信手段である。
【００１８】
この防災受信機１００の主たる特徴は、下記の通りである。
すなわち、防災端末２００にて火災やガス漏れが感知された場合、警報音が出力される。この警報音としては、所定の警報音響（以下、主音響）と、任意内容の音声（以下、任意音声）との２種の音響が出力される。この任意音声は、予め、当該防災受信機１００に備えたマイク１２２（後述する）等を介して入力され、任意音声として記憶されている。したがって、当該防災受信機１００が設置される環境や警報出力時の状況に応じた内容の警報音を出力させることができる。
【００１９】
また、任意音声の入力が行われていない場合にも対処するため、警報音の出力時には、任意音声の有無を判断し、任意音声がない場合には、所定の合成音声が出力される。したがって、任意音声を入力する必要がない場合には、特別な操作を行うことなく警報音出力を行うことができる。また、任意音声を入力し忘れたような場合においても、確実に警報音出力を行うことができる。
なお、この他にも本防災受信機１００は種々の特徴を有するが、その内容については以下の説明で明らかにする。
【００２０】
〔防災受信機１００の構成〕
次に、防災受信機１００の構成について説明する。
図１は本実施の形態に係る防災受信機１００の要部構成を示すブロック図、図２は図１の防災受信機１００の主音響部等のブロック図である。図３は図１の防災受信機１００の正面図である。
図１に示すように、防災受信機１００は、伝送制御部１１０、入力部１２０、表示部１３０、記憶部１４０、主音響部１５０、地区音響制御部１６０、防排煙制御部１７０、電源部１８０、および、制御部１９０を備えて構成されている。
【００２１】
このうち、伝送制御部１１０は、防災端末２００および中継器２１０との間の伝送制御を行う伝送制御手段である。この伝送制御部１１０には、図示のように、伝送路１１１を介して、火災感知器やガス漏れ検知器等の防災端末２００、あるいは、これら防災端末２００への中継伝送を行う中継器２１０が接続されている。そして、伝送制御部１１０を介して送信された各種のコマンドに基づいて、防災端末２００に対するポーリング／セレクティング等が行われる。
【００２２】
また、入力部１２０は、当該防災受信機１００に対する各種の入力を行うための入力手段であり、特に、任意音声を入力する入力手段である。具体的には、入力部１２０は、図３に示すように、任意音声の記録を指示するための音声記録ボタン１２１、任意音声を入力するためのマイク１２２、発報後の復旧を指示するための復旧ボタン１２３等を備えて構成されている。
【００２３】
また、図１において、表示部１３０は、管理者に対して各種の情報を表示するための表示手段である。具体的には、表示部１３０は、図３に示すように、各警戒地区における異常状態を示す地区表示灯１３１、各種数値を示すセグメント表示器１３２、等を備えて構成されている。
また、地区表示灯１３１には、防災端末２００がそれぞれ割当てられており、防災端末２００が火災等の異常を検出した場合には、防災受信機１００が異常信号を受け、異常を検出した防災端末２００に対応する地区表示灯１３１が点灯して、警報の発生場所を表示する。
【００２４】
また、図１において、記憶部１４０は、当該防災受信機１００の制御を行うための各種のプログラムおよびデータや、各防災端末２００から取得された各種のデータを記憶するための記憶手段である。
また、本実施の形態においては、任意音声を記憶可能な記憶手段
としてメッセージメモリ１４１が設けられている。
【００２５】
また、主音響部１５０は、当該防災受信機１００において各種の警報音を出力するための主音響手段であり、特に、警報音を出力する出力手段である。この主音響部１５０は、具体的には、図２に示すように、音声合成ＩＣ１５１、アンプ１５２、および、スピーカ１５３を備えて構成されている。このうち、音声合成ＩＣ１５１は、製品出荷以前に予め警報出力用の音声メッセージが記憶されており、後述する警報制御部１９１からの指示に基づいて、所定の複数の合成音声のいずれかを出力する音声合成手段であり、警報音の音源となる音源手段として機能する。また、アンプ１５２は、音声合成ＩＣ１５１にて出力された合成音声、または、制御部１９０から出力された主音響用のパルスを増幅する増幅手段である。また、スピーカ１５３は、警報音を出力する出力手段であり、図３に示す音響孔１５５の近傍奥部に配置されている。
【００２６】
ここで、音声合成ＩＣ１５１が、制御部１９０の音声アドレスポートから音声アドレスを指定して制御信号を受けた後にスタートすると、指定された音声アドレスに対応した音声合成ＩＣ１５１内のアドレスに記憶された定型メッセージがアンプ１５２に出力される。すなわち、この音声合成ＩＣ１５１内のそれぞれのアドレスには、「火災が発生しました」等の定型メッセージや、警報用のブザー音が記憶されている。
【００２７】
また、図１において、地区音響制御部１６０は、当該防災受信機１００の外部の音響機器を制御するための地区音響制御手段である。例えば、地区音響制御部１６０には、伝送路１６１を介して、各警戒地区に配置した非常ベル３００が接続されており、これら非常ベル３００の鳴動が地区音響制御部１６０にて制御される。
【００２８】
また、防排煙制御部１７０は、防排煙設備を制御するための防排煙制御手段である。例えば、防排煙制御部１７０には、伝送路１７１を介して、各警戒地区において防火ドアの自動開閉を行うためのレリーズ４００が接続されており、このレリーズ４００が防排煙制御部１７０にて制御される。
【００２９】
また、電源部１８０は、当該防災受信機１００の各部に電源を供給するための電源手段である。
【００３０】
そして、制御部１９０は、これら防災受信機１００の各部を制御するための制御手段であり、例えば、メッセージメモリ１４１に記憶された制御プログラムを解釈実行するＣＰＵ(Central Processing Unit)として構成されている。
【００３１】
この制御部１９０は、機能概念的に、警報制御部１９１を備えて構成されている。この警報制御部１９１は、所定の警報タイミングが到来した際、メッセージメモリ１４１にて記憶された任意音声をスピーカ１５３を介して出力させる制御を行う警報制御手段である。この警報制御部１９１にて行われる処理の具体的内容については後述する。
【００３２】
〔防災受信機１００における警報出力処理〕
次に、防災受信機１００における処理の内容について説明する。
まず、防災受信機１００の管理者等は、任意のタイミングで、任意音声を記録する。例えば、音声記録ボタン１２１を押した後、所定時間以内にマイク１２２を介して入力した音声が、任意音声としてメッセージメモリ１４１に記憶される。この任意音声は、例えば、火災監視毎や、防災端末２００毎に、火災発生場所に適した音声を記憶する。
【００３３】
その後、警報制御部１９１は、警報出力処理を行う。図４は、警報出力処理のフローチャートである。
まず、警報制御部１９１は、所定の警報タイミングの到来を監視する（ステップＳＡ−１）。例えば、防災端末２００による火災感知やガス漏れ検知の有無を監視
し、これら感知出力があった場合には、警報タイミングが到来したものと判断する。
【００３４】
その後、所定の警報タイミングが到来したと判断された場合、警報制御部１９１は、メッセージメモリ１４１に任意音声が記憶されているか否かを判断する（ステップＳＡ−２）。つまり、感知出力があった防災端末２００に対応した任意音声が記憶されているか否かを判断する。
【００３５】
そして、任意音声が記憶されている場合、警報制御部１９１は、この任意音声と主音響とを交互に出力するための制御を行う（ステップＳＡ−３）。具体的には、まず、任意音声を出力するためには、メッセージメモリ１４１に制御信号を出力して、任意音声をアンプ１５２に出力させる。この任意音声は、アンプ１５２にて増幅された後、スピーカ１５３に入力される。この結果、スピーカ１５３から任意音声が出力される。また、主音響を出力するためには、制御部１９０の所定の出力ポートから所定周波数（例えば、３ＫＨｚ）のパルスを出力させる。このパルスは、アンプ１５２にて増幅された後、スピーカ１５３に入力される。この結果、スピーカ１５３から主音響が出力される。
【００３６】
警報制御部１９１は、図５に示すように、このような任意音声出力と主音響出力とを所定間隔で交互に行う。この図５に示すように、主音響としては、「ピー」の如き電子的な音が出力され、任意音声としては、「１階Ｃ地区で火災が発生しました。避難誘導して下さい。非常口は通路の両端にあります。」のように、当該防災受信機１００が設置されている環境に応じた内容の音声が出力される。
【００３７】
あるいは、主音響や任意音声を複数設定しておき、これらを任意の順番で出力してもよい。例えば、図６に示すように、第１の主音響および第２の主音響と、第１の任意音声および第２の任意音声とを交互に出力してもよい。ここでは、例えば、主音響としては、「フィン」の如き電子的な音が出力され、任意音声としては、「火事です。本日は火災訓練です。」や、「避難マニュアルに従って避難誘導して下さい。」等、警報出力時の状況に応じた内容の音声を出力させることができる。
【００３８】
なお、このように任意音声を出力する場合であっても、任意音声のみでなく、合成音声と連続させて出力してもよい。例えば、「Ｂ棟で、火災発生です。」の如き音声を出力する場合、「Ｂ棟」の部分に任意音声、「で、火災発生です。」の部分に合成音声を使用するようにしてもよい。
【００３９】
このように警報音の出力制御を行った後、図４に示すように、警報制御部１９１は、警報の停止が指示されているか否かを判断し（ステップＳＡ−５）、指示がない場合には、再びステップＳＡ−２に移行する。ここでは、例えば、管理者によって図３の復旧ボタン１２３が押された場合に、警報の停止の指示があったものと判断することができる。
【００４０】
一方、図４のステップＳＡ−２において、メッセージメモリ１４１に任意音声が記憶されていないと判断された場合、警報制御部１９１は、所定の合成音声と主音響とを交互に出力するための制御を行う（ステップＳＡ−４）。具体的には、合成音声を出力するためには、出力する合成音声を特定するための音声アドレスを所定ポートから音声合成ＩＣ１５１に出力した後、スタート信号を所定ポートから音声合成ＩＣ１５１に出力する。すると、合成音声信号が、ロー・パス・フィルタ１５４で高周波成分をカットされた後でアンプ１５２に出力され、増幅されてスピーカ１５３に入力される。この結果、スピーカ１５３から合成音声が出力される。
【００４１】
例えば、図７に示すように、主音響としては、「ピー」の如き電子的な音が出力され、合成音声としては、「火事です。避難して下さい。」のように、当該防災受信機１００が設置されている環境等に関係なく使用することのできる定型内容の音声が出力される。
【００４２】
これまで説明した実施の形態１によれば、警報音として任意音声を出力させることができるので、防災受信機１００が設置される環境や警報出力時の状況に応じた内容の警報音を出力させることができる。また、任意音声がない場合には、所定の合成音声が出力さ
れるので、任意音声を入力する必要がない場合には、特別な操作を行うことなく警報音出力を行うことができる。また、任意音声を入力し忘れたような場合においても、確実に警報音出力を行うことができる。
【００４３】
〔実施の形態２〕
次に、本発明の実施の形態２について説明する。ただし、特に説明なき構成および処理については実施の形態１と同様であるとし、また、実施の形態１とほぼ同一の機能を有する構成要素を同一の符号を付して説明する。
本実施の形態は、概略的に、警報開始後の経過時間に応じて異なる内容の警報音を出力する防災受信機に関するものである。
【００４４】
〔防災受信機１００の構成〕
まず、防災受信機１００の構成について説明する。本実施の形態において、制御部１９０の警報制御部１９１は、所定の警報タイミングが到来した際、複数の警報音のうち、当該警報タイミングからの経過時間に応じて異なる警報音を出力する警報制御手段である。
【００４５】
〔防災受信機１００における警報出力処理〕
次に、防災受信機１００における警報出力処理の内容について説明する。
ここでは、前提として、第１の任意音声と第２の任意音声とが入力されてメッセージメモリ１４１に記憶されているものとする。なお、このように複数の任意音声を入力する際の入力方法や、警報出力時における各任意音声相互の識別方法は任意である。例えば、各任意音声の入力時には図示しないテンキーや押しボタン等を介して各任意音声のインデックス番号を入力し、メッセージメモリ１４１にインデックス番号と任意音声とを相互に関連付けて記憶させておき、警報出力時にはインデックス番号を参照して、複数の任意音声のうちの所望の任意音声を呼び出すようにしてもよい。
【００４６】
このように複数の任意音声を記録させた後、警報制御部１９１は、警報出力処理を行う。図８は、警報出力処理のフローチャートである。
まず、警報制御部１９１は、所定の警報タイミングの到来を監視する（ステップＳＢ−１）。
そして、所定の警報タイミングが到来したと判断された場合、警報制御部１９１は、警報タイミングが到来した以降の経過時間を示すパラメータＴを０に初期化すると共に、このパラメータＴを経過時間に応じて増分させる（ステップＳＢ−２）。
【００４７】
その後、警報制御部１９１は、経過時間Ｔが所定時間ｔ１以上であるか否かを判断し（ステップＳＢ−３）、所定時間ｔ１以上でない場合には、第１の任意音声と主音響とを交互に出力する制御を行う（ステップＳＢ−４）。例えば、図９に示すように、主音響としては、「ピー」の如き電子的な音が出力され、第１の任意音声としては、「火災発生。初期消火を行って下さい。通路中央に消火栓があります。」のように、当該防災受信機１００が設置されている環境や状況に応じた内容であって、特に、火災等が発生してから間もない状況に適した内容のメッセージを出力することができる。
【００４８】
その後、図８に示すように、警報制御部１９１は、経過時間Ｔが所定時間ｔ１以上になるか、あるいは、警報の停止が指示されるまで（ステップＳＢ−５）、ステップＳＢ−３〜ＳＢ−５を繰り返す。
ここで、経過時間Ｔが所定時間ｔ１以上になった場合、警報制御部１９１は、経過時間Ｔが所定時間ｔ２（＞ｔ１）以上であるか否かを判断し（ステップＳＢ−６）、所定時間ｔ２以上でない場合には、第１の任意音声に代えて第２の任意音声の出力を行う（ステップＳＢ−７）。すなわち、第２の任意音声と主音響とを交互に出力する制御を行う。例えば、図１０に示すように、第２の任意音声としては、「火災発生。避難して下さい。２階に高齢者がいます。」のように、当該防災受信機１００が設置されている環境や状況に応じた内容であって、特に、火災等が発生してから若干時間が経過した状況に適した内容のメッセージを出力することができる。
【００４９】
その後、図８に示すように、警報制御部１９１は、経過時間Ｔが所定時間ｔ２以上になるか、あるいは、警報の停止が指示されるまで、ステップＳＢ−３、ＳＢ−６、ＳＢ−７、および、ＳＢ−５を繰り返す。
ここで、経過時間Ｔが所定時間ｔ２以上になった場合、警報制御部１９１は、第２の任意音声に代えて所定の合成音声の出力を行う（ステップＳＢ−８）。すなわち、合成音声と主音響とを交互に出力する制御を行う。例えば、図１１に示すように、合成音声としては、「火災発生。避難して下さい。」のように、当該防災受信機１００が設置されている環境等に関係なく使用することができ、かつ、火災等が発生してから相当の時間が経過した状況に適した定型内容の音声が出力される。
【００５０】
これまで説明した実施の形態２によれば、特に、火災等が発生してからの経過時間に応じた内容の警報音を出力させることができるので、常に状況に応じた警報音を自動的に出力させることができる。
【００５１】
〔他の実施の形態〕
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００５２】
例えば、任意音声は、火災等の監視区域毎あるいは防災端末２００毎に異なる任意のメッセージを記憶させるようにしてもよい。この場合は、火災等の警報発生場所に適したメッセージを出力することができて、警報後の対処を行いやすい。例えば、火災発生場所を述べるようにしてもよい。また、任意音声は、区域に関わらず統一の音声を記憶させてもよい。また、監視回線毎に引き出された信号線に感知器が接続されて、回線毎に警報を行うＰ型の防災監視システムの場合は、回線毎に任意のメッセージを記憶するようにしてもよい。
【００５３】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
この他、上記文書中や図面中で示した処理手順、制御手順、具体的名称、各種のデータやパラメータを含む情報については、特記する場合を除いて任意に変更することができる。
【００５４】
また、図示した各装置の各構成要素は機能概念的なものであり、必ずしも物理的に図示の如く構成されていることを要しない。
例えば、防災受信機１００の分散・統合の具体的形態は図示のものに限られず、その全部または一部を、各種の負荷等に応じた任意の単位で、機能的または物理的に分散・統合して構成することができる。
また、防災受信機１００における処理機能、特に制御部１９０にて行われる各処理機能は、その全部または任意の一部が、ＣＰＵおよび当該ＣＰＵにて解析実行されるプログラムにて実現され、あるいは、ワイヤードロジックによるハードウェアとして実現される。
【００５５】
また、このコンピュータプログラムは、防災受信機１００に対して任意のネットワークを介して接続されたアプリケーションプログラムサーバから、その全部または一部をダウンロードすることも可能である。
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Operating System）に代表される別個のプログラムと協働してその機能を達成するものをも含む。なお、実施の形態に示した各装置において記録媒体を読み取るための具体的な構成、読み取り手順、あるいは、読み取
り後のインストール手順等については、周知の構成や手順を用いることができる。
【００５６】
以上に説明したように、本発明によれば、防災受信機が設置される環境や警報出力時の状況に応じた内容の警報音を出力させることができ、一層適切な警報を行うことができる。
【００５７】
また、本発明によれば、任意音声を入力する必要がない場合には、特別な操作を行うことなく警報音出力を行うことができ、防災管理を一層容易に行うことができる。また、任意音声を入力し忘れたような場合においても、確実に警報音出力を行うことができ、防災受信機の信頼性を一層向上させることができる。
【００５８】
また、本発明によれば、状況に適した警報音を時間経過に応じて自動的に出力させることができ、防災行動のガイド等を一層的確に行うことができて、防災受信機の信頼性を一層向上させることができる。
【００５９】
（付記）
付記１に記載の防災受信機は、防災端末の発報を検知して所定の防災処理を行う防災受信機において、任意の警報音を入力する入力手段と、上記入力手段にて入力された警報音を記憶可能な記憶手段と、所定の警報タイミングが到来した際、上記記憶手段にて記憶された警報音を所定の出力手段を介して出力させる制御を行う警報制御手段と、を備えることを特徴とする。
【００６０】
また、付記２に記載の防災受信機は、付記１に記載の防災受信機において、所定の警報音の音源となる音源手段を備え、上記警報制御手段は、上記記憶手段に上記警報音が記憶
されていない場合には、上記音源手段による警報音を出力させること、を特徴とする。
【００６１】
また、付記３に記載の防災受信機は、付記２に記載の防災受信機において、防災端末の発報を検知して所定の防災処理を行う防災受信機において、複数の警報音の音源となる音源手段と、所定の警報タイミングが到来した際、上記音源手段による複数の警報音のうち、当該警報タイミングからの経過時間に応じて異なる警報音を、所定の出力手段を介して
出力する警報制御手段と、を備えることを特徴とする。
【００６２】
また、付記４に記載の防災受信機は、付記３に記載の防災受信機において、任意の警報音を入力する入力手段を備え、上記音源手段は、上記入力手段にて入力された警報音を記憶可能な記憶手段であること、を特徴とする。
【００６３】
付記に係る防災受信機は、警報音として任意音声を入力して、所定の警報タイミングで出力させることができるので、防災受信機が設置される環境や警報出力時の状況に応じた内容の警報音を出力させることができ、一層適切な警報を行うことができる。
【００６４】
また、付記に係る防災受信機は、任意音声がない場合には、所定の合成音声が出力されるので、任意音声を入力する必要がない場合には、特別な操作を行うことなく警報音出力を行うことができ、防災管理を一層容易に行うことができる。また、任意音声を入力し忘れたような場合においても、確実に警報音出力を行うことができ、防災受信機の信頼性を一層向上させることができる。
【００６５】
また、付記に係る防災受信機は、火災等が発生してからの経過時間に応じた内容の警報音を出力させることができるので、状況に適した警報音を時間経過に応じて自動的に出力させることができ、防災行動のガイド等を一層的確に行うことができて、防災受信機の信頼性を一層向上させることができる。
【００６６】
また、付記に係る防災受信機は、これは音源手段の一形態を一層具体的に特定するものであり、入力手段にて入力された警報音を記憶する記憶手段が音源になるので、防災受信機が設置される環境や警報出力時の状況に応じた内容の警報音を出力させることができ、一層適切な警報を行うことができる。
【符号の説明】
【００６７】
１００  防災受信機
１１０  伝送制御部
１２０  入力部
１３０  表示部
１４０  記憶部
１４１  メッセージメモリ
１５０  主音響部
１５１  音声合成ＩＣ
１５２  アンプ
１５３  スピーカ
１６０  地区音響制御部
１７０  防排煙制御部
１８０  電源部
１９０  制御部
１９１  警報制御部
２００  防災端末
３００  非常ベル
４００  レリーズ
【図１】
2011123918.tif 000003
【図２】
2011123918.tif 000004
【図３】
2011123918.tif 000005
【図４】
2011123918.tif 000006
【図５】
2011123918.tif 000007
【図６】
2011123918.tif 000008
【図７】
2011123918.tif 000009
【図８】
2011123918.tif 000010
【図９】
2011123918.tif 000011
【図１０】
2011123918.tif 000012
【図１１】
2011123918.tif 000013